(57)【特許請求の範囲】
【請求項１】
安定した通信ができない時間帯が列車毎に記載された通信不可時間帯情報を記憶する記憶手段と、
端末装置から乗車列車と乗車駅と降車駅との情報を受信する受信手段と、
前記受信手段により受信された前記乗車列車と乗車駅と降車駅との情報に基づいて、前記記憶手段に記憶された前記通信不可時間帯情報の中から、前記乗車列車が前記乗車駅を出発する出発時刻から前記乗車列車が前記降車駅に到着する到着時刻までの間の前記乗車列車の時間帯において安定した通信ができない時間帯情報を前記端末装置に送信する送信手段と、を有することを特徴とするサーバ装置。
【請求項２】
前記端末装置から送信された通信状況情報を受信する通信状況受信手段と、
前記通信状況受信手段により受信された前記通信状況情報と、前記記憶手段に記憶された前記通信不可時間帯情報と、に基づき、前記記憶手段に記憶された前記通信不可時間帯情報を更新する第１の更新手段と、を有する、ことを特徴とする請求項１記載のサーバ装置。
【請求項３】
前記端末装置の通信状況を確認する通信状況確認手段と、
前記乗車駅と前記降車駅との間を前記乗車列車が運行している間に前記通信状況確認手段により確認された通信状況と、前記記憶手段に記憶された前記通信不可時間帯情報と、に基づき、前記記憶手段に記憶された前記通信不可時間帯情報を更新する第２の更新手段と、を有することを特徴とする請求項１または２に記載のサーバ装置。
【請求項４】
端末装置とサーバ装置とを有する通信状況通知システムであって、
前記端末装置は、
乗車列車と乗車駅と降車駅との情報をサーバ装置に送信する第１の送信手段を有し、
前記サーバ装置は、
安定した通信ができない時間帯が列車毎に記載された通信不可時間帯情報を記憶する第１の記憶手段と、
端末装置から送信された乗車列車と乗車駅と降車駅との情報を受信する第１の受信手段と、
前記第１の受信手段により受信された前記乗車列車と乗車駅と降車駅との情報に基づいて、前記第１の記憶手段に記憶された前記通信不可時間帯情報の中から、前記乗車列車が前記乗車駅を出発する出発時刻から前記乗車列車が前記降車駅に到着する到着時刻までの間の前記乗車列車の時間帯において安定した通信ができない時間帯情報を前記端末装置に送信する第２の送信手段と、を有し、
前記端末装置は、
前記サーバ装置から送信された前記時間帯情報を受信する第２の受信手段と、
前記第２の受信手段により受信した前記時間帯情報を記憶する第２の記憶手段と、
前記第２の記憶手段に記憶された前記時間帯情報に基づいて、安定した通信ができない時間帯の所定時間前の時間に通知を行う通知手段と、を有することを特徴とする通信状況通知システム。
【請求項５】
前記端末装置は、
通信環境の状況を確認する通信状況確認手段と、
前記乗車駅と前記降車駅との間を前記乗車列車が運行している間に前記通信状況確認手段により確認された通信状況を通信状況情報として記憶する第３の記憶手段と、
前記乗車列車が前記降車駅に到着した後に、前記第３の記憶手段に記憶された前記通信状況情報を前記サーバ装置に送信する第３の送信手段と、を有し、
前記サーバ端末は、
前記端末装置から送信された通信状況情報を受信する通信状況受信手段と、
前記通信状況受信手段により受信された前記通信状況情報と、前記第１の記憶手段に記憶された前記通信不可時間帯情報と、に基づき、前記第１の記憶手段に記憶された前記通信不可時間帯情報を更新する第１の更新手段と、を有する、ことを特徴とする請求項４記載の通信状況通知システム。
【請求項６】
前記サーバ装置は、
前記端末装置の通信状況を確認する通信状況確認手段と、
前記乗車駅と前記降車駅との間を前記乗車列車が運行している間に前記通信状況確認手段により確認された通信状況と、前記第１の記憶手段に記憶された前記通信不可時間帯情報と、に基づき、前記第１の記憶手段に記憶された前記通信不可時間帯情報を更新する第２の更新手段と、を有することを特徴とする請求項４または５に記載の通信状況通知システム。
【請求項７】
サーバ装置のコンピュータに実行させるプログラムであって、
安定した通信ができない時間帯が列車毎に記載された通信不可時間帯情報を記憶手段に記憶する記憶処理と、
端末装置から送信された乗車列車と乗車駅と降車駅との情報を受信する受信処理と、
前記受信処理により受信された前記乗車列車と乗車駅と降車駅との情報に基づいて、前記記憶手段に記憶された前記通信不可時間帯情報の中から、前記乗車列車が前記乗車駅を出発する出発時刻から前記乗車列車が前記降車駅に到着する到着時刻までの間の前記乗車列車の時間帯において安定した通信ができない時間帯情報を前記端末装置に送信する送信処理と、を前記コンピュータに実行させることを特徴とするプログラム。
【発明の詳細な説明】
【技術分野】
【０００１】
本発明は、サーバ装置、通信状況通知システム及びプログラムに関する。
【背景技術】
【０００２】
近年、モバイルＰＣ、携帯電話など携帯機器の普及により、新幹線などの列車車内でのこれらの機器の利用を考慮して、車内にＡＣコンセントの設置がされるようになってきた。しかし、データ通信環境に関しては、車内無線ＬＡＮなどの車内インフラの整備は進んでいない。このため、列車車内でデータ通信を行う場合は、個人の携帯機器に内蔵されたデータカードや、外付けのデータカードなどを用いて、ＨＳＤＰＡ（High Speed Downlink Packet Access）などの広域データ通信網にアクセスすることによりデータ通信を行っている。
【０００３】
しかし、広域データ通信網との通信は、乗車駅から降車駅まで常に安定しているわけではない。トンネルや地形、基地局の配置などにより、不安定になることや、切断されてしまうことを避けることができない。
【０００４】
電波状況や通信速度はトンネルや地形、基地局の配置という場所や利用時間帯に依存する。一方、列車は同じ場所をほぼ同じ時刻、速度で通過する。このため、列車の乗車中、トンネルなどの安定した通信を行えない場所を通過する時間はほぼ同じ時刻である。つまり、列車の乗車中に、安定した通信を行えなくなる時間はほぼ同じ時刻ということになる。
【０００５】
そこで、特許文献１では、あらかじめ用意された列車の運行計画データと地形などの電波遮断構造物データに基づき、携帯電話により安定した通話できなくなる時刻を計算し、この計算された時刻になる前に安定した通話ができなくなることを表示する方法が開示されている。
【先行技術文献】
【特許文献】
【０００６】
【特許文献１】特開２００１−１７７８６９号公報
【発明の概要】
【発明が解決しようとする課題】
【０００７】
しかしながら、特許文献１により開示された方法において使用される情報は、安定した通話できなくなることを実測により確認したものではない。また、列車の通過領域での通信状況に変化があっときに更新する手段を持たない。
【０００８】
そこで本発明は、上記問題点に鑑みてなされたもので、通信中に不意に通信が不安定なることや、切断されることを防ぐことを目的とする。
【課題を解決するための手段】
【０００９】
本発明にかかるサーバ装置は、
安定した通信ができない時間帯が列車毎に記載された通信不可時間帯情報を記憶する記憶手段と、
端末装置から乗車列車と乗車駅と降車駅との情報を受信する受信手段と、
前記受信手段により受信された前記乗車列車と乗車駅と降車駅との情報に基づいて、前記記憶手段に記憶された前記通信不可時間帯情報の中から、前記乗車列車が前記乗車駅を出発する出発時刻から前記乗車列車が前記降車駅に到着する到着時刻までの間の前記乗車列車の時間帯において安定した通信ができない時間帯情報を前記端末装置に送信する送信手段と、を有することを特徴とする。
【発明の効果】
【００１７】
本発明により、通信中に不意に通信が不安定なることや、切断されることを防ぐことができる。
【図面の簡単な説明】
【００１８】
【図１】本発明の実施形態に係る通信状況通知システムの構成を示す図である。
【図２】本発明の実施形態に係る通信状況通知システムにおける処理動作を示す図である。
【図３】本発明の実施形態に係る通信状況通知システムにおける通信不可時間帯情報を説明する図である。
【図４】本発明の実施形態に係る通信状況通知システムにおける通信不可時間帯情報を説明する図である。
【図５】本発明の実施形態に係る通信状況通知システムにおける処理動作を示す図である。
【図６】本発明の実施形態に係る通信状況通知システムの構成を示す図である。
【図７】本発明の実施形態に係る通信状況通知システムにおける通信状況情報を説明する図である。
【図８】本発明の実施形態に係る通信状況通知システムにおける通信不可時間帯情報を説明する図である。
【図９】本発明の実施形態に係る通信状況通知システムにおける処理動作を示す図である。
【図１０】本発明の実施形態に係る通信状況通知システムの構成を示す図である。
【図１１】本発明の実施形態に係る通信状況通知システムにおける処理動作を示す図である。
【発明を実施するための形態】
【００１９】
次に、本発明を実施するための形態について図面を参照して詳細に説明する。
【００２０】
図１は、本発明の実施形態に係る通信状況通知システムの構成を示す図である。端末装置１とサーバ装置２により構成される。端末装置１とサーバ装置２とは無線により接続されており、無線通信により情報の送受信を行う。端末装置１は、例えば、携帯電話や通信機能を備えたモバイルＰＣなどである。モバイルＰＣに通信機能を備えるためには、例えば、データ通信用の通信カードなどを装着するようにすると良い。本実施形態では、例えば、この端末装置１をユーザが携帯し、列車に乗車する場合を考える。
【００２１】
端末装置１は、情報をサーバ装置２に送信する送信手段１１と、サーバ装置から送信された情報を受信する受信手段１２と、情報を記憶する記憶手段１３と、端末装置１のユーザに通知を行う通知手段１４と、を備える。
【００２２】
サーバ装置２は、情報を記憶する記憶装置２１と、端末装置１から送信された情報を受信する受信手段２２と、情報を端末装置１に送信する送信手段２３と、を備える。
【００２３】
図２は、本発明の実施形態に係る通信状況通知システムにおける処理動作を示す図である。端末装置１は、乗車する列車の情報と、乗車する駅の情報と、降車する駅の情報と、をサーバ装置２に送信手段１１により送信する（Ｓ１０１）。
【００２４】
乗車する列車の情報と、乗車する駅の情報と、降車する駅の情報と、は、例えば、端末装置１のユーザにより入力を受けるようにすると良い。このとき、端末装置１は、ユーザから入力を受ける入力手段を備えるようにすると良い。
【００２５】
乗車する列車の情報は、例えば、乗車する列車が新幹線や特急などの場合は、乗車する列車の名前と号数である。また、乗車する列車の情報は、例えば、乗車する駅と乗車する列車がこの駅を出発する時間の組み合わせなどでも良い。また、例えば、乗車する列車の情報は、乗車する列車に与えられたコードなどでも良い。このとき、あらかじめ、端末装置１が現在運行している各列車に与えられたコードを記憶手段１３などにより記憶するようにし、ユーザから入力された乗車する列車の情報に対応するコードを記憶されているコードから抽出し、この抽出されたコードを乗車する列車の情報とするようにしても良い。
【００２６】
乗車する駅の情報は、例えば、乗車する駅の名前である。また、乗車する駅の情報は、乗車する駅に与えられたコードなどでも良い。このとき、あらかじめ、端末装置１が現在存在する各駅に与えられたコードを記憶手段１３などにより記憶するようにし、ユーザから入力された乗車する駅の情報に対応するコードを記憶されているコードから抽出し、この抽出されたコードを乗車する駅の情報とするようにしても良い。
【００２７】
降車する駅の情報は、例えば、降車する駅の名前である。また、降車する駅の情報は、降車する駅に与えられたコードなどでも良い。このとき、あらかじめ、端末装置１が現在存在する各駅に与えられたコードを記憶手段１３などにより記憶するようにし、ユーザから入力された降車する駅の情報に対応するコードを記憶されているコードから抽出し、この抽出されたコードを降車する駅の情報とするようにしても良い。
【００２８】
次に、サーバ装置２は、この端末装置１から送信された乗車する列車と乗車する駅と降車する駅の情報を受信手段２２により受信する（Ｓ１０２）。そして、サーバ装置２は、この受信した乗車する列車と乗車する駅と降車する駅の情報に基づき、通信不可時間帯情報を端末装置１に送信手段２３により送信する（Ｓ１０３）。
【００２９】
この通信不可時間帯情報は、現在運行している列車ごとに用意されており、それぞれの列車に乗車したときに、端末装置１による安定した通信ができなくなる時間帯についての情報が記載されている。列車がトンネルなどの端末装置１による通信状態が良くない環境を通過しているときは、端末装置１による安定した通信ができないことがある。また、端末装置１による通信のサービスが行われている領域外を列車が通過しているときは、端末装置１による通信ができない。この通信不可時間帯情報は、それぞれの列車で端末装置１により安定した通信のできなくなる時間帯や全く通信のできない時間帯を、実測を行うことにより、あらかじめ調査しておき、この調査の結果を解析した結果が記載されている。また、後述するように、この通信不可時間帯情報は、実際に列車に乗車したユーザが携帯する端末装置１により実測された通信状況をも情報として利用し、解析された結果が記載されているようにしても良い。
【００３０】
通信不可時間帯情報は、サーバ装置２の記憶手段２１により記憶しておき、上記のように、端末装置１から乗車する列車と乗車する駅と降車する駅の情報が送信されてきたときに、この乗車する列車と乗車する駅と降車する駅の情報に対応した通信不可時間帯情報を送信できるようすると良い。
【００３１】
サーバ装置２に記憶される通信不可時間帯情報は、例えば、図３に示すように、それぞれの列車に対して、安定した通信ができない時間帯が記載されている。例えば、受信した乗車する列車と乗車する駅と降車する駅の情報に基づき、乗車する列車が「ひかりＸ号」であり、この列車が乗車する駅を出発する時間が「１０時」で、降車する駅に到着する時間が「１２時」であるのであれば、このサーバ装置２に記憶された「ひかりＸ号」の通信不可時間帯情報のうち、１０時から１２時の間で安定した通信ができない時間帯を送信するようにすると良い。つまり、図３に示した例では、１０時から１２時の間に「ひかりＸ号」において安定した通信ができない時間帯として、図４に示すように、「１０時２３分から１０時３６分」と「１１時１０分から１１時１５分」とが記載された通信不可時間帯情報が端末装置１に送信される。
【００３２】
次に、端末装置１は、このサーバ装置２から送信された通信不可時間帯情報を受信手段１２により受信し、記憶手段１３により記憶する（Ｓ１０４）。そして、端末装置１は、この記憶された通信不可時間帯情報に基づいて、端末装置１による安定した通信ができなくなる時間帯の所定時間前に通知手段１４により通知を行う（Ｓ１０５）。
【００３３】
例えば、端末装置１は、受信した通信不可時間帯情報に、図４に示すように、端末装置１による安定した通信ができない時間帯として、「１０時２３分から１０時３６分」と「１１時１０分から１１時１５分」が記載されているとする。このとき、例えば、端末装置１は、１０時２３分の所定時間前に、通知手段１４によりアラームを鳴らすようにしても良い。また、端末装置１は、１０時２３分の所定時間前に、「１０時２３分から１３分間、安定した通信ができなくなります」と表示することにより通知を行うようにしても良い。このときは、端末装置１は、表示手段を備えるようにしても良い。ここで、通知を行う時間と実際に安定した通信ができなくなる時間の間の時間である所定時間としては、いろいろと考えられるが、例えば、１分でも良いし、５分であっても良い。また、この所定時間をユーザにより設定することができるようにしても良い。つまり、この所定時間をユーザによる設定を受ける設定手段を、端末装置１が備えるようにしても良い。
【００３４】
このようにすることにより、端末装置１による通信中に、通信状況の悪化により、不意に通信が不安定なることや、切断されるようなことがなくなる。このように。地形などにより安定した通信ができないと予測された情報でなく、これまでに実際に安定した通信ができなかった時間帯に基づいた情報を使用することにより、通知が行われるため、不意に通信が不安定なることや、切断されるようなことをより低減することができる。
【００３５】
上記の処理動作では、端末装置１が通信不可情報に基づいて、ユーザに通知を行うが、例えば、図５に示すように、サーバ装置２が通信不可情報に基づいて、端末装置１による安定した通信ができなる時間に安定した通信ができなることを端末装置１に通知するようにしても良い。
【００３６】
図５に示す処理動作では、まず、端末装置１は、乗車する列車の情報と、乗車する駅の情報と、降車する駅の情報と、をサーバ装置２に送信手段１１により送信する（Ｓ２０１）。そして、サーバ装置２は、この端末装置１から送信された乗車する列車と乗車する駅と降車する駅の情報を受信手段２２により受信する（Ｓ２０２）。
【００３７】
サーバ装置２は、この受信した乗車する列車と乗車する駅と降車する駅の情報と記憶手段２１に記憶された通信不可時間帯情報に基づき、端末装置１による安定した通信ができなくなる時間帯の所定時間前に通信不可時間帯通知を端末装置１に送信手段２３により送信する（Ｓ２０３）。そして、携帯端末１は、このサーバ装置２から送信された通信不可時間帯通知を受信手段１２により受信し（Ｓ２０４）、通知手段１４により通知を行う（Ｓ２０５）。ステップＳ２０３からＳ２０５は、この受信した乗車する列車と乗車する駅と降車する駅の情報と記憶手段２１に記憶された通信不可時間帯情報に基づき、端末装置１による安定した通信ができなる時間帯ごとに行われる。
【００３８】
通信不可時間帯通知は、例えば、端末装置１による安定した通信ができなくなる時間帯が記載されている。通信不可時間帯通知に、例えば、「１０時２３分から１０時３６分」と記載されているときは、この通信不可時間通知を受信したときに、「１０時２３分から１３分間、安定した通信ができなくなります」と表示することにより通知を行うようにすると良い。または、この通信不可時間通知を受信したときに、通知手段１４によりアラームを鳴らすようにしても良い。ここで、通信不可時間帯通知を送信する時間と実際に安定した通信ができなくなる時間の間の時間である所定時間としては、いろいろと考えられるが、例えば、１分でも良いし、５分であっても良い。また、この所定時間をユーザにより設定することができるようにしても良い。つまり、この所定時間をユーザによる設定を受ける設定手段を、端末装置１が備え、この設定手段により設定された所定時間をサーバ装置２に送信できるようにし、サーバ装置２は、この設定手段により設定された所定時間を上記の所定時間として使用するようにしても良い。
【００３９】
このようにすることによっても、端末装置１による通信中に、通信状況の悪化により、不意に通信が不安定なることや、切断されるようなことがなくなる。また、図５に示す処理動作では、携帯端末１は、サーバ装置２から送信された通信不可時間帯通知を受信して、すぐに、ユーザに通知を行うため、記憶手段１３は必須ではない。
【００４０】
図６は、本発明の実施形態に係る通信状況通知システムの構成を示す図である。図６の構成は、図１の構成に、端末装置１の通信状況確認手段１５と、サーバ装置２の更新手段２４とが加わった構成となっている。
【００４１】
通信状況確認手段１５は、乗車する駅を出発してから降車する駅に到着するまでの間、端末装置１の通信環境の状況の確認を行う。そして、この通信状況確認手段１５により確認された通信状況は、通信状況情報として記憶手段１３により記憶される。通信状況情報は、例えば、通信状況確認手段１５により確認された安定した通信ができなかった時間が記載されるようにすると良い。
【００４２】
更新手段２４は、この通信状況情報と記憶手段２１に記憶された通信不可時間帯情報に基づいて、この記憶手段２１に記憶された通信不可時間帯情報を更新する。例えば、通信状況情報が「ひかりＸ号」についての情報であり、図７に示すように、通信状況情報に安定した通信ができなかった時間帯として、「１０時２４分から１０時３８分」と「１１時１０分から１１時１５分」と記載されていたとする。また、通信不可時間帯情報は、図３に示すように記載されていたとする。このとき、例えば、更新手段２４は、通信不可時間帯情報を、図８に示すように更新する。つまり、更新手段２４は、「ひかりＸ号」の安定した通信ができない時間帯として、「１０時２３分から１０時３６分」を「１０時２３分から１０時３８分」に更新する。
【００４３】
このように、通信不可時間帯情報に記載される安定した通信ができなかった時間帯として、これまでの安定した通信ができなかった時間帯すべてを含むようにすると良い。このようにすることにより、不意に通信が不安定になることや、切断されるようなことがより低減することができる。
【００４４】
また、通信不可時間帯情報とは別に、これまでの安定した通信ができなかった時間すべてが記載された全通信不可時間帯情報を用意し、更新手段２４は、上記の通信状況情報とこの全通信不可時間帯情報に基づき、統計的処理を行うことにより、通信不可時間帯情報に記載される安定した通信ができなかった時間帯を導き、この導かれた時間帯により通信不可時間帯情報を更新するようにしても良い。
【００４５】
図９は、通信不可時間帯情報を更新する際に、本発明の実施形態に係る通信状況通知システムにおいて行われる処理動作を示す図である。まず、端末装置１は、乗車する駅を出発してから降車する駅に到着するまでの間、端末装置１の通信環境の状況の確認を通信状況確認手段１５により行い、記憶手段１３によりこの確認された通信状況を通信状況情報として記憶する（Ｓ３０１）。降車する駅に到着後、端末装置１は、この記憶手段１３により記憶された通信状況情報をサーバ装置２に送信手段１１により送信する（Ｓ３０２）。サーバ装置２は、この通信状況情報を受信手段２２により受信し（Ｓ３０３）、この受信した通信状況情報と記憶手段２１に記憶された通信不可時間帯情報に基づいて、この記憶手段２１に記憶された通信不可時間帯情報を更新手段２５により更新する（Ｓ３０４）。
【００４６】
このようにすることにより、新たな情報により通信不可時間帯情報を更新することができるようになる。そして、次からは、この更新された通信不可時間帯情報により、安定した通信ができない時間帯の通知を行うことができるようになる。このため、不意に通信が不安定になることや、切断されるようなことがより低減されることになる。
【００４７】
図６に示した構成では、端末装置１の通信状況を端末装置１が行うが、図１０に示すような構成にし、サーバ装置２が行うようにしても良い。図１０の構成は、図１の構成に、サーバ装置２の更新手段２４と、サーバ装置２の通信状況確認手段２５とが加わった構成となっている。
【００４８】
通信状況確認手段２５は、乗車する駅を出発してから降車する駅に到着するまでの間、端末装置１の通信環境の状況の確認を行う。例えば、サーバ装置２は、定期的に端末装置１と接続されているかの確認することにより、端末装置１の通信環境の状況の確認を行うようにする。
【００４９】
このとき、更新手段２４は、この通信状況確認手段２５により確認された通信状況と記憶手段２１に記憶された通信不可時間帯情報に基づいて、この記憶手段２１に記憶された通信不可時間帯情報を更新する。
【００５０】
図１１は、図１０の構成において、通信不可時間帯情報を更新する際に、本発明の実施形態に係る通信状況通知システムにおいて行われる処理動作を示す図である。まず、サーバ装置１は、乗車する駅を出発してから降車する駅に到着するまでの間、端末装置１の通信環境の状況の確認を通信状況確認手段２５により行う（Ｓ４０１）。サーバ装置２は、この通信状況確認手段２５により確認された通信状況と記憶手段２１に記憶された通信不可時間帯情報に基づいて、この記憶手段２１に記憶された通信不可時間帯情報を更新手段２４により更新する（Ｓ４０２）。更新手段２４による更新は、通信状況確認手段２５により通信状況が確認されるたびに行っても良い。また、図９における処理動作のように、サーバ装置２は、降車する駅に到着するまで、確認された通信状況を通信状況情報として記憶手段２１により記憶しておき、降車する駅に到着後に、この通信状況情報と記憶手段２１に記憶された通信不可時間帯情報に基づいて、この記憶手段２１に記憶された通信不可時間帯情報を更新手段２４により更新するようにしても良い。
【００５１】
また、一般的な無線システムが通信時や待ち受け時に監視している電波状況のデータを記録しておき、この記録により通信不可時間帯情報を更新するようにしても良い。
【００５２】
上述した実施形態では、例として、列車の場合について記載したが、列車と同様にダイヤに正確に運行される交通機関であれば、上述したような方法により、安定した通信ができなくなる前に、上記のように通信が安定しなくなることを通知するようにすることができる。
【００５３】
上述した実施形態における処理動作は、ハードウェア、または、ソフトウェア、あるいは、両者の複合構成によって実行することも可能である。
【００５４】
なお、ソフトウェアによる処理を実行する場合には、処理シーケンスを記録したプログラムが格納されているＲＯＭ（Read Only Memory）から、専用のハードウェアに組み込まれているコンピュータ内のメモリ（ＲＡＭ）にプログラムを読み込んで実行させるか、あるいは、各種処理が実行可能な汎用コンピュータにプログラムをインストールして実行させることが可能である。
【００５５】
例えば、プログラムは、記録媒体としてのハードディスクやＲＯＭに予め記録しておくことが可能である。あるいは、プログラムは、フロッピー（登録商標）ディスク等の磁気ディスク、ＣＤ（Compact Disc）、ＤＶＤ(Digital Versatile Disc)等の光ディスク、ＭＯ（Magneto Optical）ディスク等の光磁気ディスクなどのリムーバブル記録媒体に、一時的、あるいは、永続的に格納（記録）しておくことが可能である。
【００５６】
このようなリムーバブル記録媒体は、いわゆるパッケージソフトウェアとして提供することが可能である。
【００５７】
なお、プログラムは、上述したようなリムーバブル記録媒体からコンピュータにインストールする他、ダウンロードサイトから、コンピュータに無線転送したり、ＬＡＮ（Local Area Network）、インターネットといったネットワークを介して、コンピュータに有線で転送したりし、コンピュータでは、転送されてきたプログラムを受信し、内蔵するハードディスク等の記録媒体にインストールすることが可能である。
【００５８】
また、上記実施形態で説明した処理動作に従って時系列的に実行されるのみならず、処理を実行する装置の処理能力、あるいは、必要に応じて並列的にあるいは個別に実行するように構築することも可能である。
【００５９】
また、上記実施形態で説明したシステムは、複数の装置の論理的集合構成にしたり、各装置の機能を混在させたりするように構築することも可能である。
【００６０】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【００６１】
また、本発明における端末装置は、通信環境の状況を確認する通信状況確認手段を有し、前記記憶手段は、前記乗車駅と前記降車駅との間を前記乗車列車が運行している間に前記通信状況確認手段により確認された通信状況を通信状況情報として記憶するようにしても良い。
【００６２】
また、本発明における端末装置は、通信環境の状況を確認する通信状況確認手段と、前記乗車駅と前記降車駅との間を前記乗車列車が運行している間に前記通信状況確認手段により確認された通信状況を通信状況情報として記憶する記憶手段と、を有するようにしても良い。
【００６３】
また、本発明における端末装置は、前記送信手段は、前記乗車列車が前記降車駅に到着した後に、前記記憶手段により記憶された前記通信状況情報を前記サーバ装置に送信するようにしても良い。
【００６４】
また、本発明におけるサーバ装置は、前記記憶手段により記憶された前記通信不可時間帯情報を更新する更新手段を有し、前記受信手段は、前記端末装置から送信された通信状況情報を受信し、前記更新手段は、前記受信手段により受信された前記通信状況情報と、前記記憶手段により記憶された前記通信不可時間帯情報と、に基づき、前記記憶手段により記憶された前記通信不可時間帯情報を更新するようにしても良い。
【００６５】
また、本発明におけるサーバ装置は、前記端末装置の通信状況を確認する通信状況確認手段と、前記乗車駅と前記降車駅との間を前記乗車列車が運行している間に前記通信状況確認手段により確認された通信状況と、前記記憶手段により記憶された前記通信不可時間帯情報と、に基づき、前記記憶手段により記憶された前記通信不可時間帯情報を更新する更新手段と、を有するようにしても良い。
【００６６】
また、本発明における通信状況通知システムは、前記端末装置は、通信環境の状況を確認する通信状況確認手段を有し、前記端末装置の前記第２の記憶手段は、前記乗車駅と前記降車駅との間を前記乗車列車が運行している間に前記通信状況確認手段により確認された通信状況を通信状況情報として記憶し、前記端末装置の前記第１の送信手段は、前記乗車列車が前記降車駅に到着した後に、前記第２の記憶手段により記憶された前記通信状況情報も前記サーバ装置に送信し、前記サーバ端末は、前記第１の記憶手段により記憶された前記通信不可時間帯情報を更新する更新手段を有し、前記サーバ装置の前記第１の受信手段は、前記端末装置から送信された通信状況情報を受信し、前記サーバ装置の前記更新手段は、前記第１の受信手段により受信された前記通信状況情報と、前記第１の記憶手段により記憶された前記通信不可時間帯情報と、に基づき、前記第１の記憶手段により記憶された前記通信不可時間帯情報を更新するようにしても良い。
【００６７】
また、本発明における通信状況通知システムは、前記端末装置は、通信環境の状況を確認する通信状況確認手段と、前記乗車駅と前記降車駅との間を前記乗車列車が運行している間に前記通信状況確認手段により確認された通信状況を通信状況情報として記憶する第２の記憶手段と、を有し、前記端末装置の前記第１の送信手段は、前記乗車列車が前記降車駅に到着した後に、前記第２の記憶手段により記憶された前記通信状況情報も前記サーバ装置に送信し、前記サーバ端末は、前記第１の記憶手段により記憶された前記通信不可時間帯情報を更新する更新手段を有し、前記サーバ装置の前記第１の受信手段は、前記端末装置から送信された通信状況情報を受信し、前記サーバ装置の前記更新手段は、前記第１の受信手段により受信された前記通信状況情報と、前記第１の記憶手段により記憶された前記通信不可時間帯情報と、に基づき、前記第１の記憶手段により記憶された前記通信不可時間帯情報を更新するようにしても良い。
【００６８】
また、本発明における通信状況通知システムは、前記サーバ装置は、前記端末装置の通信状況を確認する通信状況確認手段と、前記乗車駅と前記降車駅との間を前記乗車列車が運行している間に前記通信状況確認手段により確認された通信状況と、前記記憶手段により記憶された前記通信不可時間帯情報と、に基づき、前記記憶手段により記憶された前記通信不可時間帯情報を更新する更新手段と、を有するようにしても良い。
【符号の説明】
【００６９】
１    端末装置
１１    送信手段
１２    受信手段
１３    記憶手段
１４    通知手段
１５    通信状況確認手段
２    サーバ装置
２１    記憶手段
２２    受信手段
２３    送信手段
２４    更新手段
２５    通信状況確認手段
【図１】
0005542400.tif 000002
【図２】
0005542400.tif 000003
【図３】
0005542400.tif 000004
【図４】
0005542400.tif 000005
【図５】
0005542400.tif 000006
【図６】
0005542400.tif 000007
【図７】
0005542400.tif 000008
【図８】
0005542400.tif 000009
【図９】
0005542400.tif 000010
【図１０】
0005542400.tif 000011
【図１１】
0005542400.tif 000012